(57)【要約】  異なる帯域幅を有するチャンネル上で動作する無線ネットワーク間の干渉を減少させる方法が提案される。１つの無線ネットワークが、狭帯域チャンネル上で動作し、他のネットワークが、狭帯域チャンネルと重複する広帯域チャンネル上で動作する。本方法は、広帯域チャンネルに関する情報を狭帯域チャンネル上で動作するネットワークの装置に伝えることを含む。広帯域チャンネル上で動作するネットワーク内の装置は、そのネットワークＩＤと、動作している広帯域チャンネルに関する情報、即ち中心周波数とチャンネル帯域幅とを伝える特殊なフレームを構成する。本装置は、次に、このフレームを狭帯域チャンネル上で同報通信する。更に、このフレームは、両方のチャンネル上でフレームの送信前に保護フレームを送信することによって起こりうる衝突から保護される。
2016503244.tif 000002
【特許請求の範囲】
【請求項１】
異なる帯域幅を有するチャンネル上で動作する近接した無線ネットワーク間の干渉を減少させる方法であって、
第１のネットワーク内の第１の装置によって、前記第１のネットワークが動作するチャンネル帯域の一部分を構成する前記チャンネル帯域上で動作している第２のネットワーク上の装置からの干渉を検出するステップと、
前記第１の装置によって、前記第１のネットワークの存在を通知するための干渉通知フレームを構成するステップと、
前記第１の装置によって、前記第２のネットワークが動作するチャンネル上で前記干渉通知フレームを同報通信するステップと、
前記第１の装置によって、両方のネットワークの前記チャンネル上の適切な保護フレームの送信前に前記干渉通知フレームを置くことによって、前記干渉通知フレームの同報通信を両方のネットワークの前記チャンネル上の衝突から保護するステップと、
前記第２のネットワーク内の第２の装置によって、前記干渉通知フレームを受信したときに前記第１のネットワークの存在を検出するステップとを含む方法。
【請求項２】
前記干渉通知フレームが、
前記第１のネットワークを一意に識別するネットワークＩＤと、
前記第１のネットワークが動作するチャンネルの中心周波数と、
前記第１のネットワークが動作するチャンネルの帯域幅とを含む、請求項１に記載の方法。
【請求項３】
前記第２のネットワークが、前記干渉通知フレームに基づいて、前記第１のネットワークが動作するチャンネル帯域と重複しない別の使用可能なチャンネル帯域を見つけて前記干渉を回避することを試み、同時に第１のネットワークが、本来のチャンネル帯域を使用し続けようと試みる、請求項１に記載の方法。
【請求項４】
前記干渉通知フレームが、更に、
前記第２のネットワークを一意に識別するネットワークＩＤを含む、請求項２に記載の方法。
【請求項５】
異なる帯域幅を有するチャンネル上で動作する近接した無線ネットワーク間の干渉を減少させるように構成された無線通信装置であって、
第１のネットワーク内の第１の装置上の、第２のネットワーク上の装置からの干渉を検出するように構成された第１のモジュールであって、前記第２のネットワークは、前記第１のネットワークが動作するチャンネル帯域の一部分を構成する前記チャンネル帯域上で動作している第１のモジュールと、
前記第１の装置上の、前記第１のネットワークの存在を通知するための干渉通知フレームを構成するように構成された第２のモジュールと、
前記第１の装置上の、前記第２のネットワークが動作する前記チャンネル上で前記干渉通知フレームを同報通信するように構成された第３のモジュールとを含み、
前記第１の装置上の第３のモジュールが、更に、両方のネットワークの前記チャンネル上の適切な保護フレームを送信する前に前記干渉通知フレームを置くことによって前記干渉通知フレームの同報通信を両方のネットワークの前記チャンネル上の衝突から保護するように構成され、
前記第１のモジュールが、また、前記第２のネットワーク内の第２の装置によって、前記干渉通知フレームを受信することによって前記第１のネットワークの存在を検出するように実現された、無線通信装置。
【発明の詳細な説明】
【技術分野】
【０００１】
本発明は、一般に無線通信に関し、より詳細には無線通信システムにおける重複チャンネルによって引き起こされる干渉を減少させる方法に関する。
【背景技術】
【０００２】
無線ネットワークが、様々なチャンネル帯域幅を有するチャンネル上で動作する選択肢を有する無線通信システムでは、広帯域上で動作するある無線ネットワークが狭帯域上で動作する別の無線ネットワークと重複する可能性が高い。この場合、狭帯域チャンネルのスペクトルは、広帯域チャンネルの一部分を構成する。
【０００３】
２つのネットワーク間の干渉が大きい状況では、干渉を減少させる１つの可能な解決策は、一方又は両方のネットワークを非重複チャンネル（そのようなチャンネルが存在する場合）に移動させることである。両方のネットワークは、多くの場合に処理能力の低下又は他の手段によって干渉に気付くことになる。広帯域チャンネル上で動作する装置が、ＦＦＴ分析を含むがこれに限定されない技術を使用して狭帯域チャンネルの正確な特性を決定することは比較的容易である。一方、狭帯域チャンネル上で動作する装置の受信装置上に配置されたチャンネルフィルタなどの制限によって、そのような装置が、広帯域チャンネルの正確な特性を検出することは難しい。全ての無線通信システムにおいて、利用できる広帯域チャンネルの数が制限され、多くの場合１つに制限されることもある。そのような事例では、代替の広帯域チャンネルが存在しない場合は、狭帯域チャンネル上で動作するネットワークが、別の非重複チャンネルに移動する方が理にかなう。
【０００４】
従来、ネットワークのコントローラ装置（ＷＬＡＮネットワークのＡＰ、又は携帯電話の基地局）が、チャンネルを切り替えたい場合、利用できるチャンネルのどれが最良かを決定するために様々な形の走査（エネルギー検出、アクティブ／パッシブビーコン検出など）を行なわなければならない。コントローラ装置は、この過程で大量の時間とエネルギーを消費する可能性がある。コントローラ装置が、干渉している広帯域チャンネルの正確な特性の予備的知識を有する場合は、広帯域チャンネルと重複したチャンネルの走査を安全に省略できるので、走査プロセスにおけるかなりの時間とエネルギーを節約することができる。
【先行技術文献】
【特許文献】
【０００５】
【特許文献１】米国特許第７６４００２２号明細書（Ｂ２）  無線通信ネットワークにおける干渉減少のための技術、Ｊｕｈａ  Ｓａｌｏｋａｎｎｅｌら
【特許文献２】国際公開第２０１０／１２４７２９号（Ａ１）  同一チャンネル干渉減少のためのスペクトル配列
【特許文献３】米国特許出願公開第２０１２／０１８４２０６号明細書（Ａ１）  無線通信システムにおけるセル間干渉を減少させる方法及び装置
【特許文献４】米国特許出願公開第２０１２／０２５７５７４号明細書（Ａ１）  無線ＬＡＮシステムにおける局間干渉を減少させる方法、及び該方法を支持する装置
【非特許文献】
【０００６】
【非特許文献１】ＩＥＥＥ  ＳＴＤ  ８０２．１１−２０１２
【発明の概要】
【発明が解決しようとする課題】
【０００７】
特許文献１の要約：計画的送信タイムスロットの重複によって２つのネットワーク間の干渉が起こる。提案された解決策は、規則的ビーコンフレームによってひとつのネットワークによる干渉状況を別のネットワークに伝え、干渉を回避するために他のネットワークに要求してその送信タイムスロットを変化させることを含む。提案された解決策は、異なる帯域幅を有するチャンネル上で動作するネットワークが別のネットワークのビーコンフレームを受信することができないので、我々の問題を解決しない。
【０００８】
特許文献２の要約：２つの周波数チャンネル間で干渉が起こり、その一方の周波数チャンネルが他方の周波数チャンネルより広く、狭いチャンネルが、より広いチャンネルの周波数スペクトルの一端と重複する。提案された解決策は、２つのネットワーク間の通信を含まない。解決策は、広い方のチャンネル上の送信を周波数スペクトルの非重複部分に制限することに基づく。この手法は、我々の提案された解決策とは異なる。
【０００９】
特許文献３の要約：マクロセルとマイクロセルの間で干渉が起こる。解決策は、２つのセル間で通信が行われうる時間スケジュールをネゴシエートすることを含む。ひとつのセルが、干渉の影響を少なくするためにその送信電力を減少させる要求を他のセルに送ってもよい。そのようなセル間通信スケジュールをネゴシエートする手段は、我々の事例には存在しない。
【００１０】
特許文献４の要約：提案された解決策は、干渉チャンネルに関する情報を収集するサウンディングＰＰＤＵの使用と、干渉を少なくするビームフォーミング技術の使用を含む。提案された解決策技術は、我々のものとはきわめて異なる。
【００１１】
非特許文献１の要約：セクション９．３．２．７の非ＳＴＢＣ  ＳＴＡの存在下でＳＴＢＣデータフレームを保護するデュアルＣＴＳ保護機構が述べられる。ＳＴＢＣ  ＳＴＡの存在下で非ＳＴＢＣデータフレームを保護する逆の事例についても述べられる。この保護機構は、この文章で述べた２つのネットワークが異なるチャンネル帯域幅を有するチャンネル上で動作しているシナリオには適さない。
【００１２】
本発明の目的は、異なるチャンネル帯域幅の重複チャンネル上で動作する２つの重複無線通信システム間の干渉を回避／減少させる方法と、その方法を実現する装置を提供することである。
【００１３】
本発明の目的は、前述のものに限定されず、他の目的は、以下の節における発明の記述から当業者に明らかになる。
【課題を解決するための手段】
【００１４】
例えば、異なるチャンネルの重複チャンネル上で動作する２つの重複無線通信システム間の干渉を回避／減少させる方法が提供される。その方法は、図７に示されたフローチャート６００に要約される。プロセスは、６０２で、広帯域チャンネル上で動作する第１の無線ネットワークが、広帯域チャンネルと完全に重複した狭帯域チャンネル上で動作する第２の無線ネットワークによる干渉を受けるときに始まる。ステップ６０４で、第１のネットワークのコントローラ／コーディネータ装置が、干渉の存在を検出し、ステップ６０６で、有限数の再試行で干渉チャンネルに関する情報を収集しようとする。ステップ６０８で、ステップ６０６で情報収集が成功し、干渉チャンネルがより狭い帯域幅のものであることをコントローラ装置が決定できた場合は、コントローラ装置は、ステップ６１０に進む。あるいは、コントローラ装置が、ステップ６０６で干渉チャンネル情報を収集できなかった場合、又は干渉チャンネルがより狭い帯域幅のものでないことが決定された場合、コントローラ装置は、特許の範囲外である代替の干渉緩和メカニズム（ステップ６０９）に退いてもよい。ステップ６１０で、コントローラ装置は、「干渉通知」フレームと呼ばれることがある特殊なフレームを構成する。このフレームは、固有ネットワークＩＤ、中心周波数、チャンネル帯域幅などの第１のネットワークに関する情報から構成される。ステップ６１２で、コントローラ装置は、広帯域チャンネルと狭帯域チャンネルの両方がアイドル状態であることを確認し、保護フレームをそれ自体のチャンネル上で適切な持続時間設定で送信し始める。この保護フレームの目的は、規定された持続時間内に広帯域チャンネルの他のフレームの伝送を防ぐことである。ステップ６１４で、短期間待った後で、コントローラ装置は、狭帯域チャンネル上で適切な持続時間設定で別の保護フレームを送信し始める。ステップ６１６で、別の短期間待った後で、コントローラ装置は、狭帯域チャンネル上で「干渉通知」フレームを送信し始める。ステップ６１８で、干渉ネットワーク内の装置は、「干渉通知」フレームを受信し、第１のネットワークの存在に気付く。次に、この情報をそれ自体のネットワークのコントローラ装置に報告し始める。ステップ６２０で、この情報に基づいて、干渉ネットワークのコントローラ装置は、代替の非重複チャンネルを選択し、ネットワークをこのチャンネルに移動させ、それにより、干渉状態が除去される。
【００１５】
更に、前述の方法を実施する装置も示される。
【発明の効果】
【００１６】
本発明の利点は、近隣ネットワークからの激しい干渉がある場合にネットワークが代替チャンネルを選択するエネルギーと時間の大幅な節約である。
【００１７】
本発明の利点は、前述のものに限定されず、他の利点は、当業者に明らかである。
【図面の簡単な説明】
【００１８】
【図１】提示された本発明が適用され得る例示的な環境を示す図である。２つの重複する無線通信ネットワーク、即ち、広帯域チャンネル上で動作する無線通信ネットワークと狭帯域上で動作する無線通信ネットワークが示される。
【図２】２つの周波数スペクトル、即ち１つの狭帯域と１つの広帯域の利用可能チャンネルの図である。
【図３】提案されたフレーム交換シーケンスを示す図である。
【図４】図３に示されたフレーム交換シーケンスの代わりに使用され得る代替のフレーム交換シーケンスを示す図である。
【図５】提案された「干渉通知」フレームの構造の図である。
【図６】提案された発明を実施する装置のブロック図である。
【図７】提案された発明に含まれる一連の動作を示すフローチャートである。
【発明を実施するための形態】
【００１９】
以下の説明は、本発明の実施形態に基づいており、本明細書に明示的に記載されていない代替実施形態に関して本発明を限定するように解釈されるべきでない。
【００２０】
（第１の実施形態）
図１は、本発明が適用されうる例示的な環境を示す。環境は、基本サービスセット（ＢＳＳ）と呼ばれる２つの無線ＬＡＮ（ＷＬＡＮ）ネットワーク、即ち長距離ＢＳＳ１００と短距離ＢＳＳ１１０を含む。各ＢＳＳは、少なくとも１つのアクセスポイント（ＡＰ）と１つ以上の局（ＳＴＡ）を含む。長距離ＢＳＳ１００は、１つのＡＰ１０２と２つのＳＴＡ１０４ａ及び１０４ｂを含む。短距離ＢＳＳ１１０は、１つのＡＰ１１２と１つのＳＴＡ１１４を含む。図１でわかるように、長距離ＢＳＳ１００は、短距離ＢＳＳ１１０と完全に重複し、重複基本サービスセット（ＯＢＳＳ）を構成する。更に、長距離ＢＳＳ１００に属するＳＴＡのうちの１つ１０４ａも短距離ＢＳＳ１１０のＡＰ１１２の伝送距離内にある。例えば、長距離ＢＳＳ１００は、最大１ｋｍの到達距離を有する長距離ＷｉＦｉ（登録商標）ホットスポットである。他方、短距離ＢＳＳ１１０は、１００メートル未満の到達距離を有する家庭用ＷｉＦｉ（登録商標）ネットワークでよい。長距離ＢＳＳ１００内で無線通信に使用されるチャンネルは、点線１０６によって表わされ、短距離ＢＳＳ１１０内で無線通信に使用されるチャンネルは、実線１１６によって表わされる。
【００２１】
図２は、２つのＢＳＳの周波数スペクトルを示す。長距離ＢＳＳ１００は、狭帯域チャンネル２０８上で動作し、この狭帯域チャンネル２０８は、周波数スペクトル２００内で利用可能な狭帯域チャンネルのうちの１つである。同様に、短距離ＢＳＳ１１０は、周波数スペクトル２５０内の広帯域チャンネル２５１上で動作している。この場合、狭帯域チャンネル２０８は、広帯域チャンネル２５１と完全に重複しており、即ち、狭帯域チャンネル２０８の開始周波数（ｆls）と終了周波数２２２（ｆle）が両方とも、広帯域チャンネル２５１の開始周波数２２５（ｆws）と終了周波数２５６（ｆwe）の間にある。更に、すべての狭帯域チャンネル２０１、２０２、２０３、２０４、２０５、２０６、２０７、２０９、２１０、２１１、２１２、２１３、２１４、２１５及び２１６も広帯域チャンネル２５１と重なる。
【００２２】
動作周波数のこの重複により、どちらかのチャンネル上の無線通信が、他のチャンネル上の通信と干渉する。例えば、リンク１０６上のＡＰ１０２とＳＴＡ１０４ａとの間のデータ伝送が、リンク１１６上のＡＰ１１２とＳＴＡ１１４と間のデータ伝送に影響を及ぼし、その逆の場合も同様である。２つのリンクが、２つの異なるチャンネル帯域幅で動作しているので、通信を共にする装置は、この干渉にすぐに気付かない可能性があるが、この干渉は、一方又は両方のリンク上の処理能力の低下や再送信の増加などとして現れる。この干渉がきわめて激しい場合、両方のリンク上の通信が極度に劣化する。この状況は、短距離ＢＳＳ１１０内の全ての装置が影響を受けるので短距離ＢＳＳ１１０の方が危機的であり、長距離ＢＳＳ１００に関しては、ＡＰ１１２の伝送距離内にある装置だけが影響を受ける。広帯域チャンネルの方が数が少ないので、多くの場合、図２に示されたような多くの狭帯域チャンネルでありえるような所定の周波数スペクトル内に１つの広帯域チャンネルしかない可能性がある。そのような状況では、干渉に気づいたとき、短距離ＢＳＳ１１０は、干渉を軽減するために選択肢が２つしかない可能性があり、その１つ目は、狭帯域チャンネル２０８と重複しないもっと狭帯域のチャンネルに移動できることであり、２つ目は、例えば、チャンネル２０１、２０２、２０３、２０４、２０５、２０６、２０７、２０８、２０９、２１０、２１１、２１２、２１３、２１４、２１５及び２１６以外の、図２に示された狭帯域チャンネルのどれに関しても広帯域チャンネル２５１と重複しない別の狭帯域チャンネルに移動することを干渉ＢＳＳ１００に要求できることである。これを達成するために、短距離ＢＳＳ１１０は、この要求をどうにかして長距離ＢＳＳ１００に伝えることができなければならない。現時点で、この種のＢＳＳ間通信を達成する明確な仕組みは存在しない。この目的のため、「干渉通知」と呼ばれる新しい制御フレーム３０３が提案され、そのフレームの構造が、図５に示されている。フレームのフィールドは、一例として、フレーム制御フィールド４０１、持続時間フィールド４０２、レシーバアドレス（ＲＡ）フィールド４０３、ＢＳＳＩＤフィールド４０４、チャンネル情報フィールド４０５、及びＦＣＳフィールド４０６を含む。フレーム制御フィールド４０１、持続時間フィールド４０２及びＦＣＳフィールド４０６は、構造が他の制御フィールドで使用される同じ規則に従う構造である。レシーバアドレス（ＲＡ）フィールド４０３は、同報通信ＭＡＣアドレスとして設定されなければならず、ＢＳＳＩＤフィールド４０４は、ＢＳＳのネットワークＩＤである。「干渉通知」フレーム３０３の最も独特の要素は、ＢＳＳが動作しているチャンネルを明示的に識別するチャンネル情報フィールド４０５である。チャンネル情報フィールド４０５は、ＢＳＳチャンネルの中心周波数を指定するサブフィールド中心周波数４１０と、ＢＳＳチャンネルの帯域幅を指定するサブフィールド帯域幅４１１とからなる。
【００２３】
図３は、「干渉通知」フレーム３０３の送信に関係するフレームシーケンスを示す。ＯＢＳＳの存在により、「干渉通知」フレーム３０３の送信が失敗する可能性はかなり高い。送信の成功率を高めるため、「干渉通知」フレーム３０３は、広帯域チャンネル２５１並びに狭帯域チャンネル２０８の両方で保護されなければならない。これは、適切なチャンネルアクセス手順を使用し、次に広帯域チャンネル２５１で自分自身にアドレス指定されたＣＴＳ−ｔｏ−ｓｅｌｆフレーム３０１を送信することによって、広帯域チャンネルと狭帯域チャンネルの両方で媒体にアクセスするＡＰ１１２によって達成される。この実施形態では、ＣＴＳ−ｔｏ−ｓｅｌｆフレーム３０１は、短距離ＢＳＳ１１０で制御フレームを送信するために使用されるデフォルトの変調及び符号化方法（ＭＣＳ）を使用して送信される。ＣＴＳ−ｔｏ−ｓｅｌｆフレームは、そのレシーバアドレス（ＲＡ）フィールドが送信装置自体のＭＡＣアドレスに設定された標準ＣＴＳフレームである。ＣＴＳ−ｔｏ−ｓｅｌｆフレーム３０１の保護持続時間３２０は、時間間隔３１０ａ及び３１０ｂと、ＣＴＳ−ｔｏ−ｓｅｌｆフレーム３０２と「干渉通知」フレーム３０３の送信時間との和として設定される。時間間隔３１０ａ及び３１０ｂは、１つのショートインターフレームスペース（ＳＩＦＳ）として設定される。時間間隔３１０ａ及び３１０ｂが、同じ持続時間を有してもよく、時間間隔３１０ａ及び３１０ｂがそれぞれ異なる持続時間を有してもよい。短距離ＢＳＳ１１０内の全ての装置は、ＣＴＳ−ｔｏ−ｓｅｌｆフレーム３０１を受信することができる。ＣＴＳ−ｔｏ−ｓｅｌｆフレーム３０１のレシーバアドレス（ＲＡ）フィールドが、フレームを受信する装置のＭＡＣアドレスと一致しないので、装置は、そのネットワーク割り当てベクトル（ＮＡＶ）をＣＴＳ−ｔｏ−ｓｅｌｆフレーム３０１で設定された持続時間３２０に設定する。このようにして、短距離ＢＳＳ１１０内の全ての装置は、ＡＰ１１２を除き、図３に示されたフレームシーケンスを完了するのに必要な持続時間全体にフレームを送信することを制限される。時間間隔３１０ａが１つのＳＩＦＳに等しくなった後で、ＡＰ１１２は、狭帯域チャンネル２０８内でそれ自体にアドレス指定された別のＣＴＳ−ｔｏ−ｓｅｌｆフレーム３０２を送信する。この実施形態では、このＣＴＳ−ｔｏ−ｓｅｌｆフレーム３０２は、長距離ＢＳＳ１００内で制御フレームを送信するために使用されるデフォルトＭＣＳを使用して送信される。ＡＰ１１２の伝送距離内の長距離ＢＳＳ１００に属する全ての装置は、ＣＴＳ−ｔｏ−ｓｅｌｆフレーム３０２を受信することができる。ＣＴＳ−ｔｏ−ｓｅｌｆフレーム３０２のレシーバアドレス（ＲＡ）フィールドが、フレームを受信する装置のＭＡＣアドレスと一致しないので、装置は、そのネットワーク割り当てベクトル（ＮＡＶ）をＣＴＳ−ｔｏ−ｓｅｌｆフレーム３０２に設定された持続時間３２１に設定する。このようにして、ＡＰ１１２の伝送距離内にある長距離ＢＳＳ１００に属する全ての装置は、ＣＴＳ−ｔｏ−ｓｅｌｆフレーム３０２内に設定された持続時間３２１にフレームを送信することを制限される。ＣＴＳ−ｔｏ−ｓｅｌｆフレーム３０２の保護持続時間３２１は、時間間隔３１０ｂと「干渉通知」フレーム３０３の送信時間の和として設定される。時間間隔３１０ｂがＳＩＦＳと等しくなった後で、ＡＰ１１２は、最終的に、狭帯域チャンネル２０８で「干渉通知」フレーム３０３を送信する。この実施形態では、この「干渉通知」フレーム３０３は、長距離ＢＳＳ１００内で制御フレームを送信するために使用されるデフォルトＭＣＳを使用して送信される。「干渉通知」フレーム３０３は、長距離ＢＳＳ１００に属するＳＴＡ１０４ａによって受信され、ＳＴＡ１０４ａは、やはり短距離ＢＳＳ１１０のＡＰ１１２の伝送距離内にある。「干渉通知」フレーム３０３のＢＳＳＩＤフィールド４０４を調べると、ＳＴＡ１０４ａは、短距離ＢＳＳ１１０によって引き起こされたＯＢＳＳの存在に気付くことになる。ＳＴＡ１０４ａは、このことを何らかの報告機構を使用してそのＡＰ１０２に報告することができ、この報告には干渉チャンネルに関する情報を含む。ＡＰ１０２は、ＳＴＡ１０４ａからこの報告を受信すると、広帯域チャンネル２５１が重複しない代替チャンネルを見つけるプロセスを開始することができる。このプロセスは、利用できるチャンネルのどれが最良かを決定するために、様々な形の走査（エネルギー検出、アクティブ／パッシブビーコン検出など）を含むことができる。「干渉通知」フレーム３０３によって通信された広帯域チャンネルに関する明示的情報（即ち、中心周波数とチャンネル帯域幅）によって、ＡＰ１０２は、チャンネル２０１、２０２、２０３、２０４、２０５、２０６、２０７、２０８、２０９、２１０、２１１、２１２、２１３、２１４、２１５及び２１６が全て広帯域チャンネル２５１と重複するので、これらのチャンネルの走査をスキップし、その走査労力を残りのチャンネルに集中できる。干渉広帯域チャンネルの正確な特性のこの演繹的知識により、広帯域チャンネルと重複したチャンネルの走査を安全にスキップできるので、走査プロセスにおけるＡＰ１０２のかなりの時間とエネルギーを節約することができる。
【００２４】
前述の方法は、図６に示されたように無線装置５００によって実施されてもよい。無線装置５００は、ＡＰでもよく非ＡＰ  ＳＴＡでもよい。無線装置５００は、ＲＦアンテナ５０２、送信／受信ユニット５０４、送信プロセッサ５０６、受信プロセッサ５１０、中央制御装置５０８、データソース５１２、データ受信装置５１４及びメモリ５１４を含む。ＲＦアンテナ５０２は、無線信号の送受信に関与し、送信／受信ユニット５０４は、送信されるビットストリームを空中に送出し着信無線信号をビットストリームに受信することに関与する。送信プロセッサ５０６は、ＭＡＣ層によって渡された様々なフレームを、送信／受信ユニット５０４に渡されるビットストリームに変換する役割をし、一方、受信プロセッサ５１０は、送信／受信ユニット５０４から着信ビットストリームを受け取り、関連情報をＭＡＣ層に渡す役割をする。ＭＡＣ層は、中央制御装置５０８によって実現される。中央制御装置５０８にロードされたＭＡＣプログラムのタイプにより、無線装置は、ＡＰ又は非ＡＰ  ＳＴＡとして動作する。
【００２５】
（第２の実施形態）
本発明の第２の実施形態によれば、第１の実施形態で述べた全ての手順は同じままであるが、ＣＴＳ−ｔｏ−ｓｅｌｆフレーム３０１、ＣＴＳ−ｔｏ−ｓｅｌｆフレーム３０２及び「干渉通知」フレーム３０３は全て、できるだけ低いＭＣＳ値で送信される。
【００２６】
（第３の実施形態）
第３の実施形態によれば、第１の実施形態で述べた他の全ての手順は同じままであるが、フレーム交換シーケンスの手順は、図４を参照する以下の説明に置き換えられる。
【００２７】
図４は、「干渉通知」フレーム３０３の送信に関わる代替のフレームシーケンスについて述べる。ＯＢＳＳの存在により、「干渉通知」フレーム３０３の送信が失敗する可能性はかなり高い。送信の成功率を高めるために、「干渉通知」フレーム３０３は、広帯域チャンネル２５１と狭帯域チャンネル２０８の両方で保護されなければならない。これは、ＡＰ１１２が、適切なチャンネルアクセス手順を使用することによって広帯域チャンネル２５１と重複する各狭帯域チャンネル上で媒体にアクセスし、次に広帯域チャンネル２５１と重複する各狭帯域チャンネル上で自らにアドレス指定されたＣＴＳ−ｔｏ−ｓｅｌｆフレーム３０４を同時に送信することによって達成される。この実施形態では、ＣＴＳ−ｔｏ−ｓｅｌｆフレーム３０４は、短距離ＢＳＳ１１０で制御フレームを送信するために使用されるデフォルトの変調及び符号化方法（ＭＣＳ）を使用して送信される。ＣＴＳ−ｔｏ−ｓｅｌｆフレーム３０４の保護持続時間３３０は、時間間隔３１０ｃと、狭帯域チャンネル２０８で「干渉通知」フレーム３０３を送信するのに必要な時間との和として設定される。時間間隔３１０ｃは、１つのショートインターフレームスペース（ＳＩＦＳ）として設定される。更に、ＣＴＳ−ｔｏ−ｓｅｌｆフレーム３０４は、ＡＰ１１２によって、ＡＰ１１２の最大伝送距離内の全ての装置がＣＴＳ−ｔｏ−ｓｅｌｆフレーム３０４を受信できることを保証するように最大送信電力で送信される。ＣＴＳ−ｔｏ−ｓｅｌｆフレーム３０４のレシーバアドレス（ＲＡ）フィールドが、フレームを受信する装置のＭＡＣアドレスと一致しないので、装置は、そのネットワーク割り当てベクトル（ＮＡＶ）をＣＴＳ−ｔｏ−ｓｅｌｆフレーム３０４に設定された持続時間３３０に設定する。このようにして、ＡＰ１１２の最大伝送距離内にあるＡＰ１１２自体を除く全ての装置は、図４に示されたフレームシーケンスを完了するのに必要な全持続時間３３０にフレームを送信することが制限される。１つのＳＩＦＳと等しい時間間隔３１０ｃの後で、ＡＰ１１２は、「干渉通知」フレーム３０３を狭帯域チャンネル２０８で最大送信電力で送信する。この実施形態では、この「干渉通知」フレーム３０３は、短距離ＢＳＳ１１０で制御フレームを送信するために使用されるデフォルトＭＣＳを使用して送信される。ＡＰ１０２は、「干渉通知」フレーム３０３を受信すると、短距離ＢＳＳ１１０によって生成されたＯＢＳＳの存在を知ることになる。ＡＰ１０２は、広帯域チャンネル２５１が重複しない代替チャンネルを見つけるプロセスを開始することができる。このプロセスは、利用できるチャンネルのうちのどれが最良かを決定するために様々な走査形態（エネルギー検出、アクティブ／パッシブビーコン検出など）を含むことがある。「干渉通知」フレーム３０３によって通信された広帯域チャンネルに関する明示的情報（即ち、中心周波数とチャンネル帯域幅）によって、ＡＰ１０２は、チャンネル２０１、２０２、２０３、２０４、２０５、２０６、２０７、２０８、２０９、２１０、２１１、２１２、２１３、２１４、２１５及び２１６が全て広帯域チャンネル２５１と重複するので、これらのチャンネルの走査をスキップし、その走査努力を残りのチャンネルに集中することができる。干渉広帯域チャンネルの正確な特性のこの演繹的知識によって、広帯域チャンネルと重複したチャンネルの走査を安全にスキップすることができるので、走査プロセスにおいてＡＰ１０２のかなりの時間及びエネルギーを節約することができる。
【００２８】
（第４の実施形態）
本発明の第４の実施形態によれば、第３の実施形態で述べた全ての手順は同じままであるが、ＣＴＳ−ｔｏ−ｓｅｌｆフレーム３０４と「干渉通知」フレーム３０３は全て、できるだけ低いＭＣＳ値で送信される。
【００２９】
（第５の実施形態）
本発明の第５の実施形態によれば、第３の実施形態で述べた手順は全て同じままであるが、ＣＴＳ−ｔｏ−ｓｅｌｆフレーム３０４と「干渉通知」フレーム３０３が全て、長距離ＢＳＳ１００の制御フレームを送信するために使用されたデフォルトＭＣＳで送信される。
【００３０】
本出願は、２０１２年１２月１１日に出願された先行日本特許出願第２０１２−２７０３８０号及び２０１３年３月１１日に出願された第２０１３−０４８３３４号に基づき、これらの出願の優先権の利益を主張し、その内容全体はここに参照として取り込まれる。
【図１】
2016503244.tif 000003
【図２】
2016503244.tif 000004
【図３】
2016503244.tif 000005
【図４】
2016503244.tif 000006
【図５】
2016503244.tif 000007
【図６】
2016503244.tif 000008
【図７】
2016503244.tif 000009
【国際調査報告】
2016503244.tif 000010